(57)【特許請求の範囲】
【請求項１】
手元の対象物を拡大して観察するための光学系を筒の中に配置して成るルーペを観察者の両眼に対応させて配置した双眼ルーペであって、
前記ルーペは、
観察者の遠距離或いは近距離の視力を補うために用いられる焦点調整レンズと、
前記焦点調整レンズを前記双眼ルーペの接眼側に取り付ける際、前記双眼ルーペの接眼側に被せて前記焦点調整レンズを保持するレンズキャップと、
を備え、
前記レンズキャップは、
有底円筒体のキャップ本体と、
前記有底円筒体の底部に形成されて、前記ルーペの接眼側の径よりも小さい径の透視孔と、
前記底部の前記キャップ本体側の面に前記透視孔を囲み環状に設けられて、前記キャップ本体内に挿入される焦点調整レンズを保持するレンズ保持部と、
前記キャップ本体の胴部の内周面に軸線方向に沿って等間隔に設けられた複数のリブと、
を有することを特徴とする双眼ルーペ。
【請求項２】
前記焦点調整レンズは、調整する焦点距離に応じて予め種々用意されており、前記レンズキャップは、選択された一の前記焦点調整レンズを前記双眼ルーペの接眼側に合せて保持することを特徴とする請求項１に記載の双眼ルーペ。
【請求項３】
前記レンズキャップは、前記焦点調整レンズのレンズ厚に応じて複数用意されていることを特徴とする請求項２に記載の双眼ルーペ。
【請求項４】
観察者の両眼に対応するキャリアレンズを有する眼鏡フレームを備え、
前記ルーペは、前記キャリアレンズに刳り抜いた孔に、前記キャリアレンズ面に垂直な直立線に対し傾斜させて取り付けられていることを特徴とする請求項１に記載の双眼ルーペ。
【請求項５】
前記傾斜の角度は、前記直立線に対して、下向きの角度で且つ前記眼鏡フレームの中心線に向けて傾けた角度であることを特徴とする請求項４に記載の双眼ルーペ。
【請求項６】
前記キャップ本体の開口面はそぎ切りされた楕円形状を有しており、前記レンズキャップを前記ルーペに被せたとき、前記楕円の長軸上の２点が、前記ルーペの前記キャリアレンズの接眼側の平面から最も長く突出している端部と最も短く突出している端部とにそれぞれ適合可能にしたことを特徴とする請求項５に記載の双眼ルーペ。
【発明の詳細な説明】
【技術分野】
【０００１】
本発明は、医療手術や精密工作作業の際に使用される双眼ルーペに関するものであり、双眼ルーペの接眼部分に焦点調整レンズを取り付けることができる双眼ルーペに関する。
【背景技術】
【０００２】
双眼ルーペは、手元（施術又は操作箇所）の局所的な視覚対象物を拡大して視認する手段として、従来から、医療分野、精密工作、宝石加工等の各分野において広く使用されている。これらの分野では、作業や操作に高い精度が要求されており、双眼ルーペは、優れた解像力、広い視野径、所定の焦点距離等に加えて、明るくクリアーな画質を備えている。また、ルーペの倍率調整も、用途に合わせて調整可能なタイプも用意されている。
【０００３】
そして、特に、医療分野において用いられる双眼ルーペには、人命に関わることから、双眼ルーペの視力矯正及び乱視矯正は、施術者の遠距離或いは近距離の視力に正確に適合させたものであることが求められる。
【０００４】
しかしながら、このような従来の双眼ルーペにおいては、精密施術者の手作業に高い精度が要求されるにも関わらず、施術者の視力を矯正するレンズの焦点距離を施術者のその時々の作業時の視力に適切に適合させることが困難であることから、施術者の作業時の視力の変化に起因して視覚精度にムラが生じるという問題点があった。すなわち、人間の視力は、体調や疲労の程度によって常に変化し、また、同日であっても午前と午後とで変化するにも拘わらず、従来の双眼ルーペは、施術者の変動する視力に適合させることができず、不適正な視力の状態で双眼ルーペを使用して作業せざるを得なかった。
【０００５】
また、施術の種類、例えば、狭い視野範囲の施術又は広い視野範囲の施術に応じて、施術／操作箇所と双眼ルーペの距離を変化させる必要が生じるために、一人の施術者が予め焦点距離の異なる複数種類の双眼ルーペを準備しておく必要があった。
【０００６】
このような問題を解決するため、従来、焦点距離が異なる複数種類の焦点調整部を予め準備しておき、その中の一つを選択して、双眼ルーペの接眼部に着脱自在に装着可能にした双眼ルーペが知られている（例えば、特許文献１を参照）。
【先行技術文献】
【特許文献】
【０００７】
【特許文献１】特許第５０３２３３２号公報
【発明の概要】
【発明が解決しようとする課題】
【０００８】
特許文献１のように予め複数の焦点調整部を設けておきそれを選択的に使用すれば、複数の双眼ルーペを用意しておく場合と比べてコスト的に有利となる。しかしながら、従来技術では、双眼ルーペと焦点調整部のそれぞれに連結部材を設けるために、連結部材を有さない通常の双眼ルーペに焦点調整部を取り付けることができず汎用性の面で課題がある。
【０００９】
本発明は、上記課題に鑑みてなされたものであって、特別な連結部材を設けずとも、焦点距離が異なる各焦点調整レンズを双眼ルーペに簡単に着脱可能な双眼ルーペを提供することを目的としている。
【課題を解決するための手段】
【００１０】
上記課題を解決するために、本発明に係わる双眼ルーペは、手元の対象物を拡大して観察するための光学系を筒の中に配置して成るルーペを観察者の両眼に対応させて配置した双眼ルーペであって、前記ルーペは、観察者の遠距離或いは近距離の視力を補うために用いられる焦点調整レンズと、前記焦点調整レンズを前記双眼ルーペの接眼側に取り付ける際、前記双眼ルーペの接眼側に被せて前記焦点調整レンズを保持するレンズキャップと、を備え、前記レンズキャップは、有底円筒体のキャップ本体と、前記有底円筒体の底部に形成されて、前記ルーペの接眼側の径よりも小さい径の透視孔と、前記底部の前記キャップ本体側の面に前記透視孔を囲み環状に設けられて、前記キャップ本体内に挿入される焦点調整レンズを保持するレンズ保持部と、前記キャップ本体の胴部の内周面に軸線方向に沿って等間隔に設けられた複数のリブと、を有することを特徴としている。
【００１１】
この場合、前記焦点調整レンズは、調整する焦点距離に応じて予め種々用意されており、前記レンズキャップは、選択された一の前記焦点調整レンズを前記ルーペの接眼側に合せて保持する。このとき、前記レンズキャップは、前記焦点調整レンズのレンズ厚に応じて複数用意して、適合する一のレンズキャップを選択して、前記ルーペの接眼側に被せることで、前記焦点調整レンズの保持が確実となる。
【００１２】
観察者の両眼に対応するキャリアレンズを有する眼鏡フレームを備える双眼ルーペの場合には、前記ルーペは、前記キャリアレンズに刳り抜いた孔に、前記キャリアレンズ面に垂直な直立線に対し傾斜させて取り付けられる。
【００１３】
この場合、観察者が顔の正面前方の下方に位置しているルーペを通して対象物を観察可能なよう、この傾斜の角度は、前記直立線に対して下向きの角度で、且つ前記眼鏡フレームの中心からの前記直立線に向けて傾けた角度としている。
【００１４】
さらに、前記キャップ本体の開口面はそぎ切りされた楕円形状にするとよい。これにより、前記レンズキャップを前記双眼ルーペに被せるとき、前記楕円の長軸上の２点が前記ルーペの前記キャリアレンズの接眼側の平面から最も長く突出している端部と最も短く突出している端部とにそれぞれ合せることで、前記レンズキャップが前記ルーペの接眼側に被せる面積が大きくなって、焦点調整レンズを確実に保持できる。
【発明の効果】
【００１５】
本発明の双眼ルーペは、レンズケースをルーペの接眼側に被せるだけで焦点調整レンズを保持できるため、双眼ルーペの接眼側に特別な連結部材を設ける必要がなく、通常の双眼ルーペに焦点調整レンズを簡単に取り付けることができる。そして、レンズケースをルーペの接眼側に被せることで焦点調整レンズは確実に保持される。
【図面の簡単な説明】
【００１６】
【図１】本発明の実施形態に係る双眼ルーペの全体の構成図を示す。
【図２】本発明の実施形態に係る双眼ルーペの光学系の構成を模式図で示す。
【図３】双眼ルーペを着用した作業を行う状態の説明図を示す。
【図４】ルーペをキャリアレンズに取り付ける際の下方装着角度ｒについての説明図を示す。
【図５】ルーペをキャリアレンズに取り付ける際の内側装着角度ｐ，ｑについての説明図を示す。
【図６】キャリアレンズに装着したルーペを接眼側から見た説明図を示す。
【図７】ルーペの接眼側とレンズキャップとをそれぞれ側断面図で示し、（ａ）部はルーペに焦点調整レンズを合せた状態、（ｂ）部はレンズキャップをルーペに被せた状態を示す。
【図８】（ａ）部はレンズキャップの接眼側からの平面図を示し、（ｂ）部はレンズキャップの側面図を示す。
【図９】（ａ）部はレンズキャップの側断面図を示し、（ｂ）部は（ａ）部における下方からの平面図を示す。
【図１０】ルーペの接眼側に焦点調整レンズをセットしてレンズキャップを被せた状態の断面斜視図を示す。
【図１１】ルーペの接眼側に厚い焦点調整レンズをセットしてレンズキャップを被せた状態の断面斜視図を示す。
【図１２】ルーペの接眼側に薄い焦点調整レンズをセットしてレンズキャップを被せた状態の断面斜視図を示す。
【図１３】本発明を適用する別のタイプの双眼ルーペの全体構成図を示す。
【発明を実施するための形態】
【００１７】
双眼ルーペは、左右両眼のルーペを眼鏡フレームやヘッドバンドにそれぞれ取り付けられる。そして、眼鏡フレームに取り付ける双眼ルーペにも、眼鏡フレームに直接支持するタイプと、眼鏡レンズ（キャリアレンズ）に刳り抜いた孔に嵌め込み取り付けるタイプとの２通りがある。
【００１８】
本発明は、上記の何れの双眼ルーペにも適用可能であるが、以下、キャリアレンズを備える眼鏡フレームにルーペを取り付けて構成した双眼ルーペの場合で、図面を参照しながら詳細に説明する。
【００１９】
図１に示されている双眼ルーペ１０は、眼鏡フレーム１と、作業対象の像を拡大するための左右両眼に対応するルーペ２と、ルーペ２を取り付けるための左右のキャリアレンズ５と、を備える。
【００２０】
眼鏡と同じ構造の眼鏡フレーム１は、キャリアレンズ５が嵌め込まれるリム１Ａと、耳に掛けられる蔓部６とから構成される。眼鏡フレーム１及び蔓部６を構成する素材には、錆び難く可撓性を有するチタン等の金属や合成樹脂等が使用される。また、両眼のリム１Ａにそれぞれ嵌め込まれるキャリアレンズ５を構成する素材は、必ずしも透明である必要はないが、観察者の手元方向の視野を広げるためには透明であることが好ましく、さらに視力の矯正を必要とする場合には矯正レンズを使用するが、視力の矯正が不要の場合は単なる透明ガラスであっても良い。この場合のレンズの材質は、ガラス又はプラスチックである。
【００２１】
ルーペ２は、図２に示すように、鏡筒の中に対物レンズ群４１と、接眼レンズ群４２とが筒の中心軸（光軸）に沿って配置されている。対物レンズ群４１には、拡大倍率を上げても像質を低下することがないよう、入射する光を屈折させるためにプリズム４０ａ，４０ｂを設けている。そして、ルーペ２の接眼側の端部には、双眼ルーペ１０の使用者の視力を矯正するための矯正レンズ（度付レンズ）１８を配置しているが、視力を矯正する必要がなければ矯正レンズ１８に代えてガラスレンズを配置することで、ルーペ２内のこれら光学系を保護している。
【００２２】
詳細には図示しないが、ルーペ２の外周に設けたリング３を回動して、対物レンズ群４１のレンズ４３と接眼レンズ群４２のレンズ４４をそれぞれ光軸方向に移動させることで、ルーペ２の画角を例えば３．３乃至４．８倍の範囲内で調整可能なよう構成されている。尚、ルーペ２には、レンズどうしの間隔が全て固定されて、画角が一定倍率のものも使用することができる。
【００２３】
このような双眼ルーペ１０は、通常の眼鏡と同様に、蔓部６を着用者の耳に掛けて顔に着用する。例えば、外科医師が手術を行うのに用いる場合には、図３に示すように、医師は、左右のルーペ２を通して、手にしている手術器具の先端の執刀箇所Ｐにある対象物を拡大して観察している。このとき医師は、左右のルーペ２を覗き込むように視線を落として執刀箇所Ｐを凝視している。
【００２４】
したがって、図４で示すように、左右のルーペ２はキャリアレンズ５の平面に垂直な直立線Ｖに対し傾斜させて取り付けられている。この傾斜の角度は、直立線Ｖに対して下向きの角度ｒ（下方装着角度）で傾斜するように取り付けられている。また、左右のルーペ２は、水平方向では図５で示すように、眼鏡フレーム１の中心Ｏと執刀箇所Ｐとを結ぶ中心線Ｌに向けて、それぞれ角度ｐ及び角度ｑの（内側装着角度）で傾斜するように取り付けられている。
【００２５】
したがって、ルーペ２は、キャリアレンズ５に刳り抜かれた孔に嵌め込まれて装着されるとき、下方装着角度ｒ及び内側装着角度ｐ，ｑの傾斜を保った状態でキャリアレンズ５に固定される。
【００２６】
下方装着角度ｒや内側装着角度ｐ，ｑは、双眼ルーペ１０の使用者が作業で執る姿勢や瞳孔間距離（ＰＤ）等の顔の造作によって異なっており、事前に測定される。この場合の測定方法としては、使用者に実際に作業姿勢を再現してもらい、それをメジャーで実測する等の種々の方法があるが、本出願人も特許第５６５２９７３号や特許第５３１１６０１号において作業姿勢を撮像した画像に基づいた測定する方法を開示している。
【００２７】
双眼ルーペ１０には矯正レンズ１８を配置することで、使用者の視力を矯正しているが、視力は体調或いは環境に応じて変動するため矯正レンズ１８の度数が合わなくなることがある。よって、使用者は、矯正レンズ１８が合わなくなると、図６に示すように、焦点調整レンズ１１をルーペ２の接眼側に装着することで焦点距離を調整する。
【００２８】
焦点調整レンズ１１は、双眼ルーペ１０の使用者が左右のルーペ２で対象を拡大して観察する際の視力を矯正するために、必要に応じてルーペ２の矯正レンズ１８（又はガラスレンズ）に合せて用いられる遠距離或いは近距離を補正するレンズであり、レンズキャップ１２がルーペ２の接眼側に被さることでルーペ２に装着される。また、双眼ルーペ１０の使用者が普段は視力の矯正を必要としておらず、矯正レンズ１８の代わりにガラスレンズを使用している場合も、視力の変動に際し焦点調整レンズ１１を用いることで焦点距離が調整される。
【００２９】
レンズキャップ１２は、有底円筒体のキャップ本体１３で構成されて、底部には使用者がルーペ２を覗くための透視孔１４が設けられている。キャップ本体１３の開口側は、そぎ切りされた楕円形状を有しており、開口部の端面における端部ｔ１及びｔ２は、この楕円の長軸上の２点を形成しており、端部ｔ１の接眼側の端面からの軸線方向からの寸法Ｍが最大値となり、端部ｔ２の端面からの軸線方向からの寸法Ｎが最小値となる。
【００３０】
このように、キャップ本体１３の開口側の端面をそぎ切りされた楕円形状としているのは、ルーペ２はキャリアレンズ５の面に垂直な直立線Ｖに対して、下方装着角度ｒ及び内側装着角度ｐ，ｑで取り付けられているため、キャリアレンズ５の接眼側の面からこの角度で斜めに突出しているルーペ２の接眼側の端部に適合させるためである。よって、レンズキャップ１２をルーペ２の接眼側に被せる際、ルーペ２の鏡筒１９のキャリアレンズ５の平面からの距離が最も大きい側部に端部ｔ１と合うように被せることで、端部ｔ２が最も小さい寸法の側部に合わさって、レンズキャップ１２をルーペ２のキャリアレンズ５の接眼側の面から突出している部分を有効に覆って被せることができる。
【００３１】
よって、焦点調整レンズ１１は、矯正する近視や遠視の度数（ディオプター）に応じて、種々の焦点距離のものが予め準備されている。そして、その中から一つが選択されて、それぞれ左右両眼のルーペ２に合せて使用される。ルーペ２に焦点調整レンズ１１を合せた状態でレンズキャップ１２を被せたとき、焦点調整レンズ１１はレンズキャップ１２のキャップ本体１３の透視孔１４の部分で保持される。
【００３２】
レンズキャップ１２は、例えば、＋０．５０Ｄ（ディオプター）でレンズ厚が２．３ｍｍの焦点調整レンズ１１をルーペ２にセットするレンズキャップであり、図８（ａ）は接眼側からの平面図、図８（ｂ）は底面図、図９（ａ）は側断面図、図９（ｂ）はルーペ２側からの平面図、をそれぞれ示している。そして、図１０は、レンズキャップ１２をルーペ２に被せた状態を断面斜視図で示している。尚、図１０におけるルーペ２の鏡筒１９の内部には、矯正レンズ１８（又はガラスレンズ）のみを示して、対物レンズ群４１及び接眼レンズ群４２についての図示は省略している。これより説明する図１１及び図１２においても同様である。
【００３３】
キャップ本体１３における透視孔１４の接眼側の径は、焦点調整レンズ１１の径と略同じであるが、開口側に向かうにつれて径を小さくして、キャップ本体１３の中心軸に向けて突出させることでレンズ保持部１５を形成している。そして、レンズ保持部１５の開口側の端部は、焦点調整レンズ径の寸法と同じとなるよう段差を設けて焦点調整レンズ１１の受部１６を形成している。
【００３４】
図７（ａ）で示すように、焦点調整レンズ１１を矯正レンズ１８に合せた状態で、レンズキャップ１２をルーペ２に被せることで、焦点調整レンズ１１はキャップ本体１３のレンズ保持部１５で保持されて、図７（ｂ）で示すように、ルーペ２にセットされる。又は焦点調整レンズ１１をレンズキャップ１２のレンズ保持部１５に保持した状態でレンズキャップ１２をルーペ２に被せて、焦点調整レンズ１１をルーペ２にセットする。
【００３５】
キャップ本体１３の筒の内周面には、軸線方向に沿って複数のリブ１７が等間隔で形成されており、リブ１７はレンズキャップ１２をルーペ２に被せたとき、ルーペ２の外周面を押さえつけることで、レンズキャップ１２はルーペ２に固着される。
【００３６】
レンズキャップの焦点調整レンズ１１を保持する構造は、焦点調整レンズ１１のレンズ厚によって形状が異なる。図１１に示すレンズキャップ１２ａは、例えば、＋３．００Ｄでレンズ厚が４．１ｍｍと厚い焦点調整レンズ１１をルーペ２にセットする際に使用されるレンズキャップであり、ルーペ２に被せた状態を断面斜視図で示している。このように焦点調整レンズ１１のレンズ厚が大きいと、レンズ１１の一部がルーペ２の接眼側から突出する。そのため、レンズキャップ１２ａにおける接眼側の端面からの端部ｔ１の寸法Ｍ１及び端部ｔ２の寸法Ｎ１を、それぞれレンズキャップ１２での端部ｔ１，ｔ２の寸法Ｍ，Ｎより長く設定することで、レンズキャップ１２によりルーペ２の接眼側の軸方向の長さを補っている。
【００３７】
図１２に示すレンズキャップ１２ｂは、例えば、−４．００Ｄでレンズ厚が１．４ｍｍと薄い焦点調整レンズ１１をルーペ２にセットする際に使用されるレンズキャップであり、ルーペ２に被せた状態を断面斜視図で示している。このように焦点調整レンズ１１が薄い場合には、キャップ本体１３の中心に向け突出しているレンズ保持部１５の軸線方向での寸法ｄ１を底部の厚さ寸法ｄ２より大きく設定することで、レンズ保持部１５の先端でレンズ１１を係止している。そして、レンズキャップ１２ｂの場合も、端部ｔ１，ｔ２のそれぞれ接眼側の端面からの寸法Ｍ２，Ｎ２もレンズキャップ１２の端部ｔ１，ｔ２の寸法Ｍ，Ｎよりそれぞれ長くなるよう設定している。
【００３８】
上記のレンズキャップ１２は、レンズ厚が２．３ｍｍ乃至３．１ｍｍまでの範囲の焦点調整レンズ１１をルーペ２に装着することができ、レンズキャップ１２ａは、レンズ厚が３．４ｍｍ乃至４．１ｍｍまでの範囲の焦点調整レンズ１１をルーペ２に装着することができ、レンズキャップ１２ｂは、レンズ厚が１．４ｍｍ乃至１．１ｍｍまでの範囲の焦点調整レンズ１１をルーペ２に装着することができる。
【００３９】
したがって、本実施態様では、正視の０．００Ｄを除いた−４．００Ｄから＋３．００Ｄまでの０．５Ｄ刻みの１４通りの中から選択された焦点調整レンズ１１をルーペ２の矯正レンズ１８（又はガラスレンズ）に合せてから、そのＤ（ディオプター）の数値に応じた何れかのレンズキャップ１２，１２ａ，１２ｂをルーペ２に被せることで使用者は遠距離或いは近距離の視力を矯正することができる。
【００４０】
そして、レンズキャップ１２，１２ａ，１２ｂは、ルーペ２がキャリアレンズ５の接眼側の面から突出している部分に被されるが、図１１で説明したように厚い焦点調整レンズ１１の場合には、レンズキャップ１２ａがルーペ２に被さるときの軸方向の距離は短くなる。そのため、厚い焦点調整レンズ１１を矯正レンズ１８に合せるときに用いるレンズキャップ１２ａでは、薄い焦点調整レンズ１１を矯正レンズ１８に合せる場合よりも、リブ１７の数を増やしたりリブ１７の高さを大きく設定したりするのが好ましい。
【００４１】
双眼ルーペ１０の使用者は、このような各Ｄ値の焦点調整レンズ１４とレンズキャップ１２，１２ａ，１２ｂとを付属アクセサリーにしてセットで所持しておくとよい。そして、使用者は、そのときの視力の状態や周囲の明るさの状態に応じて、又は作業を座位又は立ち位で行うかに応じて、適切なディオプターの焦点調整レンズ１４をルーペ２に合せて、この焦点調整レンズ１４に応じた何れかのレンズキャップ１２，１２ａ，１２ｂを被せることで最適な焦点距離に調整することができる。したがって、焦点距離に応じて複数通りもの双眼ルーペを用意しておく必要がなくなる。
【００４２】
本発明は、前述したごとくキャリアレンズを有さない双眼ルーペにも適用でき、図１３は、このタイプの双眼ルーペの一例を示している。この双眼ルーペ１０Ａでは、眼鏡フレーム２１に左右一対のルーペ２５を有するルーペ本体２０を回動自在な軸２３によって吊り下げる構造となっている。そして、ルーペ本体２０はビス２４を調整することにより、ルーペ２５の上下方向の位置や観察者の瞳孔間距離に応じたスリット２６内の左右への移動を可能にしている。さらに、ルーペ２５はビス２４の垂直方向の軸に回動自在に支持されて、内側装着角度も調整可能である。そして、ルーペ２５の下方装着角度は、軸２３を支点に回動させることで調整可能となっている。
【００４３】
内部に焦点調整レンズ１１を保持しているレンズキャップ１２ｃは、ルーペ２５の接眼側に被せて接続される。尚、このタイプの双眼ルーペでは、図２で示すような矯正レンズ１８を設けずに、眼鏡フレームに矯正レンズ２７を取り付けるタイプがあり、この場合には、観察者は矯正レンズ２７越しに焦点調整レンズ１１を通してルーペ２５を覗くことになる。
【００４４】
このようにルーペをキャリアレンズに装着しないタイプの双眼ルーペ１０Ａでは、瞳孔間距離及び内側装着角度や下方装着角度は固定されず任意に調整することが可能となる。また、ルーペ本体２０を眼鏡フレーム２１でなくヘッドバンドに吊り下げて支持して構成してもよい。
【００４５】
そして、眼鏡フレームやヘッドバンドにルーペを直接取り付ける双眼ルーペの場合には、キャリアレンズが存在しないことから、必ずしもレンズキャップ１２ｃのキャップ本体の開口面はそぎ切りされた楕円形状とせずともよい。
【符号の説明】
【００４６】
１      眼鏡フレーム
２      ルーペ
５      キャリアレンズ
１０、１０Ａ    双眼ルーペ
１１    焦点調整レンズ
１２、１２ａ、１２ｂ、１２ｃ    レンズキャップ
１３    キャップ本体
１４    透視孔
１５    レンズ保持部
１７    リブ
【図１】
0006274586.tif 000002
【図２】
0006274586.tif 000003
【図３】
0006274586.tif 000004
【図４】
0006274586.tif 000005
【図５】
0006274586.tif 000006
【図６】
0006274586.tif 000007
【図７】
0006274586.tif 000008
【図８】
0006274586.tif 000009
【図９】
0006274586.tif 000010
【図１０】
0006274586.tif 000011
【図１１】
0006274586.tif 000012
【図１２】
0006274586.tif 000013
【図１３】
0006274586.tif 000014